(57)【要約】【課題】建物の窓にブラインドの設置されている場所で、ブラインドの操作紐を、半田ごてを用いて修理するために、半田ごてを適切な場所に保持・固定して熱融着作業を効率良く行うことができる半田ごて固定装置を提供すること。【解決手段】半田ごて固定装置１０は、半田ごてを挟持するこてクリップ部１２と、窓枠等の枠体を挟持する枠体クリップ部１４と、こてクリップ部１２及び枠体クリップ部１４を連結する本体部１６と、を有する。本体部１６は、略中央に接続体２８を有し、こてクリップ部１２は、第１の回転機構部２９を介して接続体２８に連結されたこてクリップ部固定部材１８に固定され、枠体クリップ部１４は、第２の回転機構部２６を介して接続体２８に連結された枠体クリップ部固定部材２４に固定されており、こてクリップ部１２と枠体クリップ部１４とは、互いに直交する２つの軸を中心に回動可能で、所定の回動位置で固定可能に構成されている。【選択図】図１
2011143452.tif 000002
【特許請求の範囲】
【請求項１】
半田ごてを挟持するこてクリップ部と、
ブラインドが取り付けられている窓枠等の枠体を挟持する枠体クリップ部と、
前記こてクリップ部と前記枠体クリップ部とを、互いに直交する少なくとも２つの軸で回動可能に保持する本体部と、
を有することを特徴とする半田ごて固定装置。
【請求項２】
前記本体部は、略中央に接続体を有し、
前記こてクリップ部は、第１の回転機構部を介して前記接続体に連結されたこて
クリップ部固定部材に固定され、
前記枠体クリップ部は、第２の回転機構部を介して前記接続体に連結された枠体クリップ部固定部材に固定されたことを特徴とする請求項１に記載に半田ごて固定装置。
【発明の詳細な説明】
【技術分野】
【０００１】
本発明は、半田ごて固定装置、特に半田ごてを任意の姿勢で保持・固定する半田ごて固定装置に関する。
【背景技術】
【０００２】
半田ごては、半田付け作業を行うための工具である。半田付け作業は、半田を半田ごての発する熱により溶かし、金属同士を半田により接合する作業である。具体的に、電子回路基板に抵抗等の電子部品を配置して、銅製の回路パターンに電子部品を半田付けするとき、その他、ブリキ等の金属片同士を接合するとき、半田ごてを手に持ちながら、半田付け作業が行われる。
【０００３】
作業を中断して半田ごてを置く場合には、専用の半田ごて台（例えば、特許文献１）が用いられる。半田ごて台は、半田付け作業を行っている机等の上に載置されている。
【０００４】
一方、半田ごては熱を発するため、半田付け作業ではなく、その発する熱を利用するために用いられることがある。半田ごてのこて先や発熱体（ヒータ）を囲っている部分の温度は３００℃前後になるので、樹脂等の熱可塑性材料で構成された部品を熱融着するのに熱源として簡便に用いることができる。
【０００５】
具体的には、建物の窓に取り付けられたブラインドの上げ下げ操作を行う操作紐若しくはコードの修理に採用されている。ブラインドの操作紐は、樹脂製で製作されており、ブラインドの上げ下げに頻繁に使用されるので、摩耗及び経年変化等で切れることが多い。ブラインドの操作紐が切れた場合、操作紐毎交換するか、又は切れた部分を繋いで修理する。新しい操作紐を用いる場合には、ブラインドの操作機構部内に操作紐を通し、環状にする必要がある。これらの作業を行うために半田ごての熱が利用される。すなわち、ブラインドの操作紐が樹脂製であるので、切れた部分の接続若しくは新しい操作紐を環状にするために半田ごてを用いて熱融着する作業が行われる。
【０００６】
上記のブラインドの操作紐の修理を、半田ごてを用いて行う場合、半田ごてを所定の場所に固定又は補助者に保持してもらい、ブラインドの操作紐の両端を手で持ちながら、半田ごてのこて先又は発熱体を覆っている部分に当て、操作紐の両端を溶かし、溶けた両端を互いに当接させて熱融着を行う。その後、熱融着した部分の表面を半田ごてのこて先等で整えて作業が終了する。なお、この作業はブラインドを窓から外して、他の場所で作業することも可能であるが、ブラインドの搬送等で煩雑な作業となるので、通常はブラインドが取り付けられた状態で作業が行われる。
【０００７】
なお、特許文献２には、ロボットのアームに半田ごてが取り付けられたこて組立体が開示されている。このこて組立体を、上記のブラインドの操作紐の修理に用いることが可能である、すなわち、このこて組立体をブラインドが取り付けられた窓の近くに設置し、こて先を所定の姿勢で保持・固定し、このこて先にブラインドの操作紐を当接させることで熱融着作業を行うことが可能である。
【先行技術文献】
【特許文献】
【０００８】
【特許文献１】実開平２−１３８０６４号公報
【特許文献２】実開昭６１−１０２３６５号公報
【発明の概要】
【発明が解決しようとする課題】
【０００９】
上述したように半田ごてをブラインドの操作紐の修理に用いる場合、半田ごてを保持・固定する適切な方法がなく、半田ごてを補助者に持って貰いながらの作業であった。したがって、融着作業の際に半田ごてがしっかりと固定されないため正確な作業が難しかった。また、高熱を有する半田ごてのこて先が剥き出しとなるので、半田ごてをしっかり固定していないことによる火傷の危険があった。
【００１０】
また、特許文献２に開示されているこて組立体は、装置が大掛かりであるので、ブラインドが取り付けられている窓に搬入して据え付けること、又はブラインドを取り外してこて組立体が設置されている場所に持って行くことの何れも煩雑な作業となる。
【００１１】
本発明は、上記課題に鑑みてなされたものであり、その目的は、建物の窓にブラインドの設置されている場所で、ブラインドの操作紐を、半田ごてを用いて修理するために、半田ごてを適切な場所に保持・固定して熱融着作業を効率良く行うことができる半田ごて固定装置を提供することにある。
【課題を解決するための手段】
【００１２】
上記目的を達成するため、請求項１に記載の半田ごて固定装置は、
半田ごてを挟持するこてクリップ部と、ブラインドが取り付けられている窓枠等の枠体を挟持する枠体クリップ部と、前記こてクリップ部と前記枠体クリップ部とを、互いに直交する少なくとも２つの軸で回動可能に保持する本体部と、を有することを特徴とする。
【００１３】
この構成により、枠体クリップ部とこてクリップ部とは本体部により一体に連結され、枠体クリップ部が窓枠等の枠体を挟持することにより、こてクリップ部に挟持された半田ごては、ブラインドが取り付けられている窓枠の所定の位置に固定されることとなる。こてクリップ部と枠体クリップ部とは、本体部により、互いに直交する少なくとも２つの軸を中心に回動可能に保持されているので、半田ごてを作業が行い易い位置及び姿勢で窓枠に固定することが可能である。したがって、ブラインドの操作紐の修理作業を効率良く行うことが可能となり、また、半田ごてを作業の補助者が持つ必要がなく、火傷等の危険も防止される。
【００１４】
また、ブラインドの操作紐の修理作業は、ブラインドを窓から取り外す必要がなく、ブラインドの傍で行うことが可能であるので、作業に掛かる時間及び費用を低減することができる。
【００１５】
請求項２に記載の半田鏝固定装置は、請求項１に記載の半田鏝固定装置において、
前記本体部は、略中央に接続体を有し、前記こてクリップ部は、第１の回転機構部を介して前記接続体に連結されたこてクリップ部固定部材に固定され、前記枠体クリップ部は、第２の回転機構部を介して前記接続体に連結された枠体クリップ部固定部材に固定されたことを特徴とする。したがって、２軸で回動可能にする構成を簡単に構築することが可能であり、半田ごて固定装置の小型、軽量化が可能となる。この機構により、半田ごて固定装置を枠体に固定した後で、こてクリップ部と枠体クリップ部との位置関係を任意に調整・固定することが可能となり、ブラインドの操作紐の修理作業を効率良く行うことができることとなる。
【発明の効果】
【００１６】
本発明の半田ごて固定装置によれば、ブラインドが取り付けてある窓枠の場所において、ブラインドの紐を修理する際に、半田ごてを適切な場所に適切な姿勢で保持・固定することが可能であるので、ブラインドの操作紐の修理作業を効率良く行うことが可能である。したがって、ブラインドの操作紐の修理に掛かる費用及び時間を低減することが可能である。
【図面の簡単な説明】
【００１７】
【図１】本発明の半田ごて固定装置の概略斜視図である。
【図２】本発明の半田ごて固定装置の使用例を示す説明図である。
【発明を実施するための形態】
【００１８】
本発明の実施の形態を、以下図面を参照しながら詳述する。図１は、本発明の実施の形態に係る半田ごて固定装置の概略斜視図である。
【００１９】
半田ごて固定装置１０は、半田ごてをクリップするこてクリップ部１２と、窓枠等を挟持する枠体クリップ部１４を有する。こてクリップ部１２と枠体クリップ部１４は、本体部１６により一体に連結されている。以下、各構成要素について説明する。
【００２０】
こてクリップ部１２と枠体クリップ部１４は、それぞれ付勢手段であるコイルバネ１３によって、挟み方向に付勢されたクリップであり、一般に市販の事務用クリップを用いることができる。本実施の形態では、枠体クリップ部１４はこてクリップ部１２よりも大きいものを用いている。すなわち、大きいクリップ部は挟持力も強いため、半田ごて固定装置１０を窓枠に確実に固定するために枠体クリップ部１４は大きいものを使用している。なお、こてクリップ部１２及び枠体クリップ１４は、一般の事務用のものではなく、別途専用のものを製作して使用しても良い。
【００２１】
上記のこてクリップ部１２と枠体クリップ部１４とを一体として連結する本体部１６は、こてクリップ部１２を固定するこてクリップ部固定部材１８と、枠体クリップ部１４を固定する枠体クリップ部固定部材２４を有する。こてクリップ部固定部材１８は、所定の厚さ持つ平板状の固定片１８ａとして形成され、この固定片１８ａの一辺から一方に屈曲して所定の長さ延在する接続片１８ｂを有している。固定片１８ａの略中央には、こてクリップ部１２の一方の操作片１２ａが固定されている。
【００２２】
ここで、こてクリップ部固定部材１８の接続片１８ｂは、本体部１６の略中央にある接続体２８に、回転軸１００を中心に回転可能な第１の回転機構部２９を介して連結されている。したがって、接続体２８とこてクリップ部固定部材１８とは、回転軸１００を中心に所定の角度回転可能である。
【００２３】
枠体クリップ部固定部材２４は、本体部１６の接続体２８から突出して設けられた第２の回転機構部２６の回転軸２６ａに固定され、この回転軸２６ａを中心として回動可能な状態となっている。
【００２４】
本実施の形態では、第１の回転機構部２９は略１００度回転可能に構成され、所定の角度で固定できるように、固定用摘み３４が設けられている。すなわち、所定の角度で固定するには、固定用摘み３４を緩めて、こてクリップ部固定部材１８と接続体２８との角度を調整し、固定用摘み３４を締め付ければ良い。また、枠体クリップ部固定部材２４が固定されている第２の回転機構部２６は、３６０度の角度で回動可能であり、所定の角度で固定するには調整用ノブ３２を締め付ければ良い構成になっている。
【００２５】
この構成により、こてクリップ部１２と枠体クリップ部１４とが、２軸で回動可能となる機構を簡単に構築することが可能であり、半田ごて固定装置１０の小型、軽量化が図られる。また、半田ごて固定装置１０を窓枠に固定した後で、こてクリップ部１２と枠体クリップ部１４との位置関係を任意に調整・固定することが可能であるから、ブラインドを窓から外す必要はなく、ブラインドの操作紐の修理作業を、ブラインドの傍で効率良く行うことができる。
【００２６】
なお、こてクリップ部１２のこてクリップ部固定部材１６の固定片１８ａへの固定は、こてクリップ部１２の一方の操作片１２ａに形成された穴にボルトを通し、このボルトを固定片１８ａに螺刻されたネジ山に螺合させることで為される。同様に、枠体クリップ部１４の枠体クリップ部固定部材２４への固定は、枠体クリップ部１４の一方の操作片１４ａに形成された穴にボルトを通し、このボルトを枠体クリップ部固定部材２４に螺刻されたネジ山に螺合させることにより為される。
【００２７】
また、上記のような本体部１６は、市販のカメラ用三脚の雲台の構成と同じであり、市販のカメラ用三脚の雲台を取り外して用いることが可能であるが、別途、専用の本体部を製作して使用することも可能である。
【００２８】
図２は、本発明の半田ごて固定装置１０の使用例を示す説明図である。建物の窓枠３８にブラインド（図示していない）が取り付けられており、そのブラインドの操作紐４０を修理している様子を示す。
【００２９】
枠体クリップ部１４が窓枠３８の一部を挟持し、こてクリップ部１２が半田ごて３６を挟持している。半田ごて３６は、枠体クリップ部１４を窓枠に固定した後に、固定用摘み３４及び調整用ノブ３２を緩めて、最適な位置にセットされる。すなわち、熱融着作業が最も効率的に行えるように、半田ごて３６の位置及び姿勢を窓枠に対して最適に調整する。その後、固定用摘み３４及び調整用ノブ３４を締め付けて、半田ごて３６の位置を確定させる。半田ごて３６を最適な位置に保持・固定した後に、半田ごて３６の電源を入れて、図２に示すように、ブラインドの操作紐４０の融着作業を開始することが可能である。
【００３０】
したがって、上記の実施の形態の半田ごて固定装置１０によれば、ブラインドの紐４０の熱融着作業を、半田ごて３６を用いて行う場合に、半田ごて３６をブラインドが取り付けられている窓枠３８の最適な位置に固定し、かつ半田ごて３６と窓枠３８との角度及び距離を最適にセットすることが可能である。したがって、熱融着作業を効率良く行うことが可能である。また、作業の補助者に半田ごて３６を持って貰う必要がなく、確実に固定されるので、火傷等の危険を防止することが可能である。したがって、安全性を確保しながら熱融着作業を効率良く行うことが可能である。
【００３１】
なお、本発明は上述の実施の形態に限定されるものではなく、本発明の趣旨を逸脱しない範囲で種々の変更が可能である。例えば、こてクリップ部及び枠体クリップ部として事務用の金属製のものを用い、本体部への固定はボルトを用いたが、それらのクリップ部は事務用のものでなくとも良く、また固定は、ボルトに限らず他の固定手段を用いても良い。
【産業上の利用可能性】
【００３２】
本発明の半田鏝固定装置１０は、２つのクリップ部１２、１４が本体部１６により連結され、一方のクリップ部が窓枠を挟持した状態で、他方のクリップ部には半田ごてを挟持させた構成である。この構成を用いると、半田ごて３６の替わりに種々のものを仮固定させることが可能である。例えば、マイク等の音響器材や日照計等の測定機材等の軽量なものを一時的に固定することが可能である。
【符号の説明】
【００３３】
１０  半田ごて固定装置
１２  こてクリップ部
１２ａ  一方の操作片
１４  枠体クリップ部
１４ａ  一方の操作片
１６  本体部
１８  こてクリップ部固定部材
１８ａ  固定片
１８ｂ  接続片
２４  枠体クリップ部固定部材
２６  第２の回転機構部
２８  接続体
２９  第１の回転機構部
３２  調整用ノブ
３４  固定用摘み
３６  半田ごて
３８  窓枠
４０  ブラインドの操作紐（コード）
１００  回転軸
【図１】
2011143452.tif 000003
【図２】
2011143452.tif 000004